(57)【要約】【課題】  サイドウォール部に荷重支持体を配設した場合であっても、通常走行時における転がり抵抗や乗心地の悪化を最小限に抑制することができ、しかもランフラット走行後のリユース性を高めることを可能にした空気入りタイヤを提供する。【解決手段】  タイヤ周方向に延在して環状をなすトレッド部１と、該トレッド部１の両側に配置された一対のサイドウォール部２と、これらサイドウォール部２のタイヤ径方向内側に配置された一対のビード部３とを備えた空気入りタイヤにおいて、各サイドウォール部２の内側にタイヤ周方向に沿って延在する荷重支持体１１を配置し、該荷重支持体１１をサイドウォール部２の内面に対して機械的係合具２を介して着脱自在に装着する。【選択図】  図１
2016203702.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
各サイドウォール部の内側にタイヤ周方向に沿って延在する荷重支持体を配置し、該荷重支持体を前記サイドウォール部の内面に対して機械的係合具を介して着脱自在に装着したことを特徴とする空気入りタイヤ。
【請求項２】
前記機械的係合具が一対の面ファスナーであることを特徴とする請求項１に記載の空気入りタイヤ。
【請求項３】
前記一対の面ファスナーがフック側の面ファスナーとループ側の面ファスナーとから構成され、前記フック側の面ファスナーを前記サイドウォール部の内面に加硫接着し、前記ループ側の面ファスナーを前記荷重支持体に付設したことを特徴とする請求項２に記載の空気入りタイヤ。
【請求項４】
前記一対の面ファスナーの係合状態でのシアーせん断力が０．６ｋｇ／ｃｍ2以上であり、剥離強力が２００ｇ／ｃｍ以上であることを特徴とする請求項１又は２に記載の空気入りタイヤ。
【請求項５】
前記荷重支持体がランフラット走行時に前記サイドウォール部の内面と接触する面の一部の領域に前記機械的係合具を配置し、それ以外の領域では前記機械的係合具を介さずに前記荷重支持体が前記サイドウォール部の内面と直接接触する構造としたことを特徴とする請求項１〜４のいずれかに記載の空気入りタイヤ。
【請求項６】
前記サイドウォール部の内面にランフラット走行時に前記荷重支持体の端部を係止する突起を設けたことを特徴とする請求項５に記載の空気入りタイヤ。
【請求項７】
前記荷重支持体は前記サイドウォール部の内面に接触する外壁面とタイヤ内腔側に面する内壁面を有し、該内壁面が平面又はタイヤ幅方向外側に向かって窪んだ曲面であることを特徴とする請求項１〜６のいずれかに記載の空気入りタイヤ。
【請求項８】
前記荷重支持体がタイヤ径方向に区分された複数の分割片を有し、これら分割片がランフラット走行時に相互に接触する構造としたことを特徴とする請求項１〜４のいずれかに記載の空気入りタイヤ。
【請求項９】
前記荷重支持体を構成する複数の分割片の硬さが互いに異なることを特徴とする請求項８に記載の空気入りタイヤ。
【請求項１０】
前記荷重支持体を袋体の中に収容し、該袋体を前記機械的係合具により前記サイドウォール部の内面に装着したことを特徴とする請求項１〜９のいずれかに記載の空気入りタイヤ。
【請求項１１】
前記荷重支持体はゴム又は融点若しくは熱分解温度が１５０℃以上の樹脂から構成されることを特徴とする請求項１〜１０のいずれかに記載の空気入りタイヤ。
【発明の詳細な説明】
【技術分野】
【０００１】
本発明は、荷重支持体によりランフラット走行を可能にした空気入りタイヤに関し、更に詳しくは、サイドウォール部に荷重支持体を配設した場合であっても、通常走行時における転がり抵抗や乗心地の悪化を最小限に抑制することができ、しかもランフラット走行後のリユース性を高めることを可能にした空気入りタイヤに関する。
【背景技術】
【０００２】
従来、荷重支持体によりパンク状態での走行を可能にする空気入りタイヤとして、サイドウォール部の内側にゴム組成物からなるサイド補強層を配設したサイド補強型の空気入りタイヤ（例えば、特許文献１〜４参照）が提案されている。
【０００３】
しかしながら、サイドウォール部の内側にゴム組成物からなるサイド補強層を一体的に形成した場合、そのサイド補強層によりランフラット走行が可能になるものの、通常走行時における転がり抵抗や乗心地が悪化するという問題がある。特に、偏平率が大きい空気入りタイヤ、即ち、サイドウォール部のタイヤ径方向の寸法が大きい空気入りタイヤでは、サイド補強層のボリュームを大きくする必要があることから、通常走行時における転がり抵抗や乗心地の悪化が顕著になる。そのため、偏平率が大きい空気入りタイヤでは、サイド補強型のランフラットタイヤが実現されていないのが現状である。
【０００４】
また、上述したサイド補強型の空気入りタイヤは、ランフラット走行を通じてサイド補強層が損傷すると、ランフラット走行後に再利用することができなくなる。そのため、ランフラット走行後において、タイヤケーシング構造に何ら問題がなくトレッド部の残溝が十分に残されている場合であっても、タイヤ自体を交換する必要があり、このことは省資源の観点から好ましくない。
【先行技術文献】
【特許文献】
【０００５】
【特許文献１】特開平７−３０４３１２号公報
【特許文献２】特開２００３−９４９１２号公報
【特許文献３】特開２００７−９８９９２号公報
【特許文献４】特開２００９−６１８６６号公報
【発明の概要】
【発明が解決しようとする課題】
【０００６】
本発明の目的は、サイドウォール部に荷重支持体を配設した場合であっても、通常走行時における転がり抵抗や乗心地の悪化を最小限に抑制することができ、しかもランフラット走行後のリユース性を高めることを可能にした空気入りタイヤを提供することにある。
【課題を解決するための手段】
【０００７】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
各サイドウォール部の内側にタイヤ周方向に沿って延在する荷重支持体を配置し、該荷重支持体を前記サイドウォール部の内面に対して機械的係合具を介して着脱自在に装着したことを特徴とするものである。
【発明の効果】
【０００８】
本発明者は、空気入りタイヤのランフラット走行について鋭意研究した結果、ランフラット走行時にはサイドウォール部の内側に配置された荷重支持体がサイドウォール部によって包み込まれた状態になるため、機械的係合具を介して荷重支持体をサイドウォール部の内面に固定した場合であっても、ランフラット走行を安定的に継続することが可能であることを知見し、本発明に至ったのである。
【０００９】
即ち、本発明では、各サイドウォール部の内側にタイヤ周方向に沿って延在する荷重支持体を配置し、該荷重支持体を前記サイドウォール部の内面に対して機械的係合具を介して装着したことにより、安定的なランフラット走行を可能にしながら、従来のようにサイドウォール部の内側にゴム組成物からなるサイド補強層を一体的に形成した場合に比べて、通常走行時における転がり抵抗や乗心地の悪化を最小限に抑制することができる。また、荷重支持体はサイドウォール部の内面に対して機械的係合具を介して着脱自在に装着されるので、ランフラット走行時に荷重支持体が損傷したとしても、その荷重支持体だけを交換することでタイヤ自体を再利用することができ、ランフラット走行後のリユース性を高めることができる。しかも、上述のような構成は偏平率が大きい空気入りタイヤ（例えば、偏平率６５％以上）にも適用可能であり、ランフラットタイヤの製造も容易である。
【００１０】
本発明において、機械的係合具は一対の面ファスナーであることが好ましい。一対の面ファスナーによれば荷重支持体の着脱が容易であり、ランフラット走行において荷重支持体を安定的に保持することができる。
【００１１】
より具体的には、一対の面ファスナーがフック側の面ファスナーとループ側の面ファスナーとから構成され、フック側の面ファスナーをサイドウォール部の内面に加硫接着し、ループ側の面ファスナーを荷重支持体に付設することが好ましい。このような形態によれば、ランフラット走行において荷重支持体を安定的に保持することができる。
【００１２】
また、一対の面ファスナーの係合状態でのシアーせん断力は０．６ｋｇ／ｃｍ2以上であり、剥離強力は２００ｇ／ｃｍ以上であることが好ましい。これにより、ランフラット走行における荷重支持体の保持能力を十分に確保することができる。なお、シアーせん断力（引張せん断強さ）及び剥離強力（剥離強さ）はＪＩＳ−Ｌ３４１６に準拠して測定されるものである。
【００１３】
本発明において、荷重支持体がランフラット走行時にサイドウォール部の内面と接触する面の一部の領域に機械的係合具を配置し、それ以外の領域では機械的係合具を介さずに荷重支持体がサイドウォール部の内面と直接接触する構造とすることが好ましい。この場合、通常走行時における荷重支持体とサイドウォール部との接触面積を少なくして、通常走行時における転がり抵抗や乗心地の悪化を効果的に抑制することができる。
【００１４】
この場合、サイドウォール部の内面にランフラット走行時に荷重支持体の端部を係止する突起を設けることが好ましい。これにより、ランフラット走行時における荷重支持体とサイドウォール部との一体性を高めることができる。
【００１５】
また、荷重支持体はサイドウォール部の内面に接触する外壁面とタイヤ内腔側に面する内壁面を有し、該内壁面が平面又はタイヤ幅方向外側に向かって窪んだ曲面であることが好ましい。荷重支持体の内壁面の形状を上記のように規定することにより、ランフラット走行時において荷重支持体をタイヤ幅方向内側に押し出すように作用する力を緩和し、ランフラット走行において荷重支持体を安定的に保持することができる。
【００１６】
また、荷重支持体はタイヤ径方向に区分された複数の分割片を有し、これら分割片がランフラット走行時に相互に接触する構造とすることも可能である。この場合、各分割片を機械的係合具で固定することで良好な耐久性を確保することができ、しかも荷重支持体を一体物とした場合に比べて通常走行時における転がり抵抗や乗心地の悪化を抑制することができる。
【００１７】
荷重支持体を構成する複数の分割片の硬さは互いに異なるものとすることが可能である。複数の分割片の硬さを互いに異ならせることにより、ランフラット走行時の特性を任意に調整することができる。例えば、複数の分割片の硬さをタイヤ径方向内側に向かって徐々に小さくした場合、ランフラット走行時の耐久性を向上することができる。
【００１８】
荷重支持体は袋体の中に収容し、該袋体を機械的係合具によりサイドウォール部の内面に装着することが好ましい。この場合、荷重支持体とサイドウォール部との直接的な接触が最小限となるので、通常走行時における転がり抵抗や乗心地の悪化を効果的に抑制することができる。
【００１９】
荷重支持体はゴム又は融点若しくは熱分解温度が１５０℃以上の樹脂から構成されることが好ましい。このような材料は荷重支持体の構成材料として好適である。
【図面の簡単な説明】
【００２０】
【図１】本発明の実施形態からなる空気入りタイヤを示す子午線断面図である。
【図２】図１の空気入りタイヤにおいて荷重支持体を取り外した状態を示す子午線断    面図である。
【図３】図１の空気入りタイヤにおいて機械的係合具として使用された一対の面ファスナーを示す断面図である。
【図４】図１の空気入りタイヤを示す斜視断面図である。
【図５】タイヤ周方向に沿って断続的に配置された荷重支持体を備えた空気入りタイヤを示す斜視断面図である。
【図６】図１の空気入りタイヤのランフラット走行状態を示す子午線断面図である。
【図７】図１の空気入りタイヤの要部を示す子午線断面図である。
【図８】内壁面の形状が異なる荷重支持体を備えた空気入りタイヤの要部を示す子午線断面図である。
【図９】サイドウォール部の内面に突起を設けた空気入りタイヤの要部を示す子午線断面図である。
【図１０】図９の空気入りタイヤのランフラット走行状態を示す子午線断面図である。
【図１１】タイヤ径方向に分割された複数の分割片を有する荷重支持体を備えた空気入りタイヤを示す子午線断面図である。
【図１２】図１１の空気入りタイヤのランフラット走行状態を示す子午線断面図である。
【図１３】タイヤ径方向に分割された複数の分割片を有する他の荷重支持体を備えた空気入りタイヤの要部を示す断面図である。
【図１４】タイヤ径方向に分割された複数の分割片を有する更に他の荷重支持体を備えた空気入りタイヤの要部を示す断面図である。
【図１５】袋体に収容された荷重支持体を備えた空気入りタイヤの要部を示す子午線断面図である。
【図１６】袋体に収容された他の荷重支持体を備えた空気入りタイヤの要部を示す子午線断面図である。
【発明を実施するための形態】
【００２１】
以下、本発明の構成について添付の図面を参照しながら詳細に説明する。図１〜図４は本発明の実施形態からなる空気入りタイヤを示すものである。図１では空気入りタイヤの補強構造を描写するが、他の図ではその補強構造の描写を省略する。
【００２２】
図１に示すように、本実施形態の空気入りタイヤは、タイヤ周方向に延在して環状をなすトレッド部１と、該トレッド部１の両側に配置された一対のサイドウォール部２と、これらサイドウォール部２のタイヤ径方向内側に配置された一対のビード部３とを備えている。
【００２３】
一対のビード部３，３間には少なくとも１層のカーカス層４が装架されている。このカーカス層４はタイヤ径方向に配向する複数本のカーカスコードを含んでいる。カーカス層４は各ビード部３に配置されたビードコア５の廻りにタイヤ内側から外側に折り返されている。カーカス層４のカーカスコードとしては、有機繊維コードが好ましく使用される。
【００２４】
一方、トレッド部１におけるカーカス層４の外周側には複数層のベルト層６が埋設されている。これらベルト層６はタイヤ周方向に対して傾斜する複数本の補強コードを含み、かつ層間で補強コードが互いに交差するように配置されている。ベルト層６において、補強コードのタイヤ周方向に対する傾斜角度は例えば１０°〜４０°の範囲に設定されている。ベルト層６の補強コードとしては、スチールコードが好ましく使用される。
【００２５】
なお、上述したタイヤ補強構造は空気入りタイヤにおける代表的な例を示すものであるが、これに限定されるものではない。
【００２６】
上記空気入りタイヤにおいて、各サイドウォール部２の内側にはタイヤ周方向に沿って延在する荷重支持体１１が配置されている。このような荷重支持体１１は少なくとも片側のサイドウォール部２の内側に配置することが必要であるが、好ましくは両側のサイドウォール部２の内側にそれぞれ配置する。図４に示すように、荷重支持体１１はタイヤ周方向に連続したものであると良い。但し、荷重支持体１１をタイヤ周方向に沿って断続的に配置することも可能である（図５参照）。荷重支持体１１がタイヤ周方向に連続した環状体である場合、それを楕円形に変形させることで空気入りタイヤの中に挿入することができる。一方、荷重支持体１１がタイヤ周方向に沿って断続的に配置される小片である場合、空気入りタイヤの内部への挿入が容易である。
【００２７】
荷重支持体１１はゴム又は樹脂から構成されている。荷重支持体１１がゴムから構成する場合、そのＪＩＳ−Ａ硬度は５５〜９０の範囲にあると良い。荷重支持体１１が樹脂から構成される場合、その樹脂の融点若しくは熱分解温度が１５０℃以上であると良い。つまり、ランフラット走行時には荷重支持体１１の温度が上昇するため、融点若しくは熱分解温度が１５０℃以上である樹脂を用いることにより、荷重支持体１１の塑性変形を防止することができる。特に、荷重支持体１１が樹脂から構成される場合、熱硬化性樹脂の発泡体を用いると良い。
【００２８】
荷重支持体１１はサイドウォール部２の内面に対して機械的係合具１２を介して着脱自在に装着されている。機械的係合具１２とは、機械的な係合を可能にする一対の係合具を含む連結手段であり、例えば、一対の面ファスナーや一対のボタンを包含する。図１〜４においては、機械的係合具１２として、一対の面ファスナー１３Ａ，１３Ｂ（図３参照）が使用されている。フック側の面ファスナー１３Ａはサイドウォール部２の内面に例えば加硫接着により固着され、ループ側の面ファスナー１３Ｂは荷重支持体１１に対して例えば接着剤により固着されている。このような一対の面ファスナー１３Ａ，１３Ｂによれば、ランフラット走行において荷重支持体１１を安定的に保持することができる。
【００２９】
一対の面ファスナー１３Ａ，１３Ｂの係合状態でのシアーせん断力は０．６ｋｇ／ｃｍ2以上、より好ましくは、０．７ｋｇ／ｃｍ2〜２．５ｋｇ／ｃｍ2であると良い。また、一対の面ファスナー１３Ａ，１３Ｂの係合状態での剥離強力は２００ｇ／ｃｍ以上、より好ましくは、２５０ｇ／ｃｍ〜８００ｇ／ｃｍであると良い。これにより、ランフラット走行における荷重支持体１１の保持能力を十分に確保することができる。上記シアーせん断力又は剥離強力が小さ過ぎるとランフラット走行における荷重支持体１１の保持能力が低下する。このようなシアーせん断力又は剥離強力を確保するために、ループ側の面ファスナー１３Ｂにおいては、ループ材の基材表面からの高さを０．５ｍｍ〜４．０ｍｍの範囲に設定すると良い。
【００３０】
上述した空気入りタイヤでは、各サイドウォール部２の内側にタイヤ周方向に沿って延在する荷重支持体１１を配置し、該荷重支持体１１をサイドウォール部２の内面に対して機械的係合具１２を介して装着しているので、空気入りタイヤがパンクした際には、図６に示すように、撓んだサイドウォール部２により荷重支持体１１が包み込まれた状態になり、安定的なランフラット走行が可能になる。特に、タイヤ加硫時にタイヤ内面に離型剤を塗布しないで加硫を行うことにより、荷重支持体１１のタイヤ内面に対する摩擦力が増大し、ランフラット走行の安定性を高めることができる。
【００３１】
その一方で、荷重支持体１１はサイドウォール部２に対して一体的に形成したものではないので、従来のようにサイドウォール部２の内側にゴム組成物からなるサイド補強層を一体的に形成した場合に比べて、通常走行時における転がり抵抗や乗心地の悪化を最小限に抑制することができる。つまり、機械的係合具１２を介して装着された荷重支持体１１はサイドウォール部２の撓み特性への影響が小さいので、転がり抵抗や乗心地を実質的に悪化させることはない。
【００３２】
また、荷重支持体１１はサイドウォール部２の内面に対して機械的係合具１２を介して着脱自在に装着されるので、ランフラット走行時に荷重支持体１１が損傷したとしても、その荷重支持体１１だけを交換することでタイヤ自体を再利用することができる。そのため、上述のように着脱自在の荷重支持体１１を備えた空気入りタイヤはランフラット走行後のリユース性に優れている。
【００３３】
しかも、上述のような構成は偏平率が大きい空気入りタイヤにも適用可能であり、ランフラットタイヤの製造が容易になるという利点もある。勿論、荷重条件等に応じて荷重支持体１１の物性を適正化することも可能である。
【００３４】
図１及び図６に示すように、上記空気入りタイヤでは、荷重支持体１１がランフラット走行時にサイドウォール部２の内面と接触する面の一部の領域に機械的係合具１２が配置され、それ以外の領域では機械的係合具１２を介さずに荷重支持体１１がサイドウォール部２の内面と直接接触する構造が採用されている。より具体的には、機械的係合具１２は荷重支持体１１のタイヤ径方向外側の領域だけに選択的に配置されている。この場合、通常走行時における荷重支持体１１とサイドウォール部２との接触面積が少なくなり、通常走行時における転がり抵抗や乗心地の悪化を効果的に抑制することができる。但し、荷重支持体１１がランフラット走行時にサイドウォール部２の内面と接触する面の全域に機械的係合具１２を配置した場合であっても、通常走行時における転がり抵抗や乗心地を改善することが可能である。
【００３５】
また、荷重支持体１１はサイドウォール部２の内面に接触する外壁面１１ａ（タイヤ幅方向外側の壁面）とタイヤ内腔側に面する内壁面１１ｂ（タイヤ径方向内側の壁面）を有しているが、その内壁面１１ｂは平面（図７参照）又はタイヤ幅方向外側に向かって窪んだ曲面（図８参照）であると良い。図６に示すように、ランフラット走行時には荷重支持体１１をタイヤ幅方向内側に向かって押し出す力Ｆが作用するが、荷重支持体１１の内壁面１１ｂの形状を上記のように規定することにより、ランフラット走行時において荷重支持体１１をタイヤ幅方向内側に押し出すように作用する力Ｆを緩和し、ランフラット走行において荷重支持体１１を安定的に保持することができる。特に、内壁面１１ｂがタイヤ幅方向外側に向かって窪んだ曲面である場合、ランフラット走行時にサイドウォール部２が撓んだ際に荷重支持体１１をより安定的に保持することができる。
【００３６】
図９及び図１０はサイドウォール部の内面に突起を設けた空気入りタイヤを示すものである。図９において、サイドウォール部２の内面にはランフラット走行時に荷重支持体１１の端部を係止する突起１４が形成されている。このようにサイドウォール部２の内面に荷重支持体１１の端部を係止する突起１４を設けた場合、図１０に示すように、ランフラット走行時において、荷重支持体１１の端部が突起１４により係止されるので、荷重支持体１１とサイドウォール部２との一体性を高めることができる。その結果、ランフラット走行時の安定性を改善することができる。
【００３７】
図１１及び図１２はタイヤ径方向に分割された複数の分割片を有する荷重支持体を備えた空気入りタイヤを示すものである。図１１において、荷重支持体１１はタイヤ径方向に区分された複数の分割片１５ａ，１５ｂ，１５ｃを有し、これら分割片１５ａ〜１５ｃがランフラット走行時に相互に接触する構造となっている。図１１において、分割片１５ａ〜１５ｃは完全に独立したものである。これら分割片１５ａ〜１５ｃの各々は機械的係合具１２を介してサイドウォール部２の内面に対して着脱自在に装着されている。
【００３８】
図１２に示すように、空気入りタイヤがパンクした際には、撓んだサイドウォール部２により分割片１５ａ〜１５ｃからなる荷重支持体１１が包み込まれた状態になり、安定的なランフラット走行が可能になる。このような形態においては、分割片１５ａ〜１５ｃを機械的係合具１２で固定することで良好な耐久性を確保することができ、しかも荷重支持体１１を一体物とした場合に比べて通常走行時における転がり抵抗や乗心地の悪化を抑制することができる。
【００３９】
また、荷重支持体１１を構成する複数の分割片１５ａ〜１５ｃの硬さは一定としても良いが、必要に応じて互いに異ならせても良い。複数の分割片１５ａ〜１５ｃの硬さを互いに異ならせることにより、ランフラット走行時の特性を任意に調整することができる。例えば、複数の分割片１５ａ〜１５ｃの硬さをタイヤ径方向内側に向かって徐々に小さくした場合、ランフラット走行時の耐久性を向上することができる。
【００４０】
図１３及び図１４はそれぞれタイヤ径方向に分割された複数の分割片を有する他の荷重支持体を備えた空気入りタイヤを示すものである。荷重支持体１１を構成する分割片１５ａ〜１５ｃは完全に独立したものであっても良いが、図１３及び図１４に示すように、その一部が互に繋がった状態にあっても良い。また、図１４に示すように、分割片１５ａ〜１５ｃは湾曲部１６を介して互いに連結することが好ましい。このような湾曲部１６を設けることにより、分割片１５ａ〜１５ｃの相互間にクラックが生じ難くなる。
【００４１】
図１５及び図１６はそれぞれ袋体に収容された荷重支持体を備えた空気入りタイヤを示すものである。図１５において、荷重支持体１１は袋体１７の中に収容され、その袋体１７が機械的係合具１２によりサイドウォール部２の内面に対して着脱自在に装着されている。一方、図１６においては、複数の分割片１５ａ〜１５ｃを有する荷重支持体１１が袋体１７の中に収容され、その袋体１７が機械的係合具１２によりサイドウォール部２の内面に対して着脱自在に装着されている。荷重支持体１１はその一部（例えば、タイヤ内腔側に面する内壁面）だけが袋体１７に対して固定されており、それ以外の部分は袋体１７に対して自由に変位することができる状態になっている。また、袋体１７は少なくとも一部がループ側の面ファスナーから構成されていて、それ自体が機械的係合具の一部をなしている。このような袋体１７を用いて荷重支持体１１をサイドウォール部２の内面に装着する場合、荷重支持体１１とサイドウォール部２との直接的な接触が最小限となるので、通常走行時における転がり抵抗や乗心地の悪化を効果的に抑制することができる。
【実施例】
【００４２】
タイヤサイズが２６５／６０Ｒ１８である空気入りタイヤにおいて、各サイドウォール部の内側にタイヤ周方向に沿って延在する荷重支持体を配置し、その荷重支持体をサイドウォール部の内面に対して機械的係合具を介して着脱自在に装着した実施例１〜７のタイヤを製作した。機械的係合具としては、シアーせん断力が０．８ｋｇ／ｃｍ2であり、剥離強力が４００ｇ／ｃｍである一対の面ファスナーを用いた。
【００４３】
比較のため、各サイドウォール部の内側にゴム組成物からなるサイド補強層を一体的に形成した従来例のタイヤを用意した。また、各サイドウォール部の内側にタイヤ周方向に沿って延在する荷重支持体を配置し、その荷重支持体をサイドウォール部の内面に対して接着剤により固着した比較例のタイヤを製作した。
【００４４】
これら試験タイヤについて、下記の評価方法により、乗心地、ランフラット走行距離を評価し、その結果を表１に示した。
【００４５】
乗心地：
各試験タイヤをリムサイズ１８×８Ｊのホイールに組み付けて試験車両に装着し、空気圧を２３０ｋＰａとし、アスファルト路面からなるテストコースを平均速度８０ｋｍ／ｈにて走行し、ドライバーによる官能評価を行った。評価結果は従来例を１００とする指数にて示した。この指数値が大きいほど乗心地が優れていることを意味する。
【００４６】
ランフラット走行距離：
各試験タイヤをリムサイズ１８×８Ｊのホイールに組み付けて試験車両に装着し、右側駆動輪のバルブコアを除去する一方で他のタイヤの空気圧を２３０ｋＰａとし、アスファルト路面からなるテストコースを平均速度８０ｋｍ／ｈにて走行し、タイヤが故障して走行不能になるか、又はドライバーがタイヤの故障による振動を感じるまで走行を継続し、その走行距離を測定した。この走行距離が大きいほどランフラット耐久性が優れていることを意味する。
【００４７】
【表１】
2016203702.tif 000003
【００４８】
表１から判るように、実施例１〜７のタイヤは、従来例との対比において、良好なランフラット走行性能を実現可能であると共に、通常走行時における乗心地が良好であった。一方、比較例のタイヤは、荷重支持体をサイドウォール部の内面に対して接着剤により固着しているためランフラット走行性能が不十分であり、通常走行時における乗心地も悪いものであった。
【符号の説明】
【００４９】
１  トレッド部
２  サイドウォール部
３  ビード部
４  カーカス層
５  ビードコア
６  ベルト層
１１  荷重支持体
１１ａ  外壁面
１１ｂ  内壁面
１２  機械的係合具
１３Ａ，１３Ｂ  面ファスナー
１４  突起
１５ａ，１５ｂ，１５ｃ  分割片
１６  湾曲部
１７  袋体
【図１】
2016203702.tif 000004
【図２】
2016203702.tif 000005
【図３】
2016203702.tif 000006
【図４】
2016203702.tif 000007
【図５】
2016203702.tif 000008
【図６】
2016203702.tif 000009
【図７】
2016203702.tif 000010
【図８】
2016203702.tif 000011
【図９】
2016203702.tif 000012
【図１０】
2016203702.tif 000013
【図１１】
2016203702.tif 000014
【図１２】
2016203702.tif 000015
【図１３】
2016203702.tif 000016
【図１４】
2016203702.tif 000017
【図１５】
2016203702.tif 000018
【図１６】
2016203702.tif 000019